(57)【要約】【課題】継続的な使用により理想的な歩行や姿勢が形成され次第に腰痛や膝痛が改善されていくと共に、履き易く継続的使用がより容易な履物および履物用中敷を提供する。【解決手段】本発明の履物１は、足を載置する底部２のうち足の指が位置する部位付近に足の指を下方に向かって屈曲可能とする足指配置用凹部３が設けられると共に、足の指の付け根が位置する部位付近に足の指の付け根付近の窪みに侵入する隆起部４が設けられ、さらに、底部２のうち踵が載置される部位付近は足の指が位置する部位付近より高く形成されている。【選択図】図１
2015008764.tif 000002
【特許請求の範囲】
【請求項１】
足を載置する底部のうち足の指が位置する部位付近に足の指を下方に向かって屈曲可能とする足指配置用凹部が設けられると共に、足の指の付け根が位置する部位付近に足の指の付け根付近の窪みに侵入する隆起部が設けられ、さらに、前記底部のうち踵が載置される部位付近は足の指が位置する部位付近より高く形成されていることを特徴とする履物。
【請求項２】
前記足指配置用凹部は、足の指の配置形態に対応して平面視略Ｃ型形状に形成され、前記隆起部は足の指の付け根付近の窪みに対応した三次元形態に形成されている請求項１に記載の履物。
【請求項３】
前記底部のうち母子球付近が載置される部位には母子球配置用凹部が形成されていると共に、母子球配置用凹部の外側部位にも凹部が形成され、さらに前記底部のうち踵が載置される部位付近には踵が配される踵配置用凹部が形成されている請求項１または２に記載の履物。
【請求項４】
履物の底部上面に配置する板状体であって、該板状体が履物内に配されると、足の指が位置する部位付近に足の指を下方に向かって屈曲可能とする足指配置用凹部が構成され、足の指の付け根が位置する部位付近に足の指の付け根付近の窪みに侵入する隆起部が構成され、さらに、踵が載置される部位付近は足の指が位置する部位付近より高くなるように構成されることを特徴とする履物用中敷。
【請求項５】
前記足指配置用凹部は、足の指の配置形態に対応して平面視略Ｃ型形状に形成され、前記隆起部は足の指の付け根の窪み付近に対応した三次元形態に形成されている請求項４に記載の履物用中敷。
【請求項６】
前記板状体のうち母子球付近が載置される部位には母子球配置用凹部が形成されていると共に、該母子球配置用凹部の外側部位にも凹部が形成され、さらに前記板状体のうち踵が載置される部位付近には踵が配される踵配置用凹部が形成されている請求項４または５に記載の履物用中敷。
【発明の詳細な説明】
【技術分野】
【０００１】
本発明は、継続的な使用により理想的な歩行や姿勢が形成され次第に腰痛や膝痛が改善される履物および履物用中敷に関する。
【背景技術】
【０００２】
従来より、履物の底部構造に工夫を凝らすことで使用者の腰痛を予防または改善するものが種々提案されている。例えば、そのようなものとして、腰痛などの足裏反射点の位置に補助パットを貼付し、靴を着用した時の押圧刺激により腰痛等を改善するもの（特開平１１−１４６８０２号）、低弾性の充填材により直接的な強い衝撃を緩和して膝痛、腰痛の発生を抑制するもの（特開２００４−２４８９４２号）、爪先部を踵部より高くすることで、前傾姿勢を解消して内臓の機能低下、腰痛等を改善するもの（特開２００５−１６０５６０号）などがある。
【０００３】
ところで、現代人はアスファルトの上を歩き平らな床で生活しているため、足の指が使われず指の力が弱く、土踏まずが反り上がった縦アーチが形成されない傾向にある。その結果、扁平足気味の足で指を使わず、踵側に重心を置き、かつ爪先が外側に開いた、いわゆるがに股で歩行するため、その衝撃で腰痛や膝痛が誘発されることが指摘されている。また、利き足側に重心が偏るため、肩の高さが左右で異なるなど姿勢がアンバランスとなって腰痛や膝痛がさらに悪化していくことが指摘されている。
【０００４】
理想的な歩行は、踵側で軽く着地した後、足の指（特に親指）で地面を蹴り上げるようにして前に移動するものであり、そのような歩行を実現するためには、爪先側が低くなって前傾姿勢を保ちつつ履物内で踵部がずり落ちないこと、履物を履いても足の指を下方に屈曲させるなどの動作が自在に行えることが求められる。
【０００５】
本願発明者は、上記のような理想的な歩行を繰り返すことができる履物によって姿勢が矯正され次第に腰痛や膝痛が改善されていくことに着眼し、長期に渡る試行錯誤を繰り返す中で特許出願（特開２００８−２８４０６７号公報または特開２０１０−２６４０３７号公報）を行ったが、履きづらく長期使用に適さないものであった。
【特許文献１】特開平１１−１４６８０２号公報
【特許文献２】特開２００４−２４８９４２号公報
【特許文献３】特開２００５−１６０５６０号公報
【特許文献４】特開２００８−２８４０６７号公報
【特許文献５】特開２０１０−２６４０３７号公報
【発明の開示】
【発明が解決しようとする課題】
【０００６】
そこで、本発明の課題は、継続的な使用により理想的な歩行や姿勢が形成され次第に腰痛や膝痛も改善されていくと共に、履き易く継続的使用がより容易な履物および履物用中敷を提供することにある。
【課題を解決するための手段】
【０００７】
上記課題を解決するものは、足を載置する底部のうち足の指が位置する部位付近に足の指を下方に向かって屈曲可能とする足指配置用凹部が設けられると共に、足の指の付け根が位置する部位付近に足の指の付け根付近の窪みに侵入する隆起部が設けられ、さらに、前記底部のうち踵が載置される部位付近は足の指が位置する部位付近より高く形成されていることを特徴とする履物である。
【０００８】
前記足指配置用凹部は、足の指の配置形態に対応して平面視略Ｃ型形状に形成され、前記隆起部は足の指の付け根付近の窪みに対応した三次元形態（平面視略Ｃ型形状の山脈形状）に形成されていることが好ましい。前記隆起部は、位置を変更可能に構成されていることが好ましい。前記底部のうち母子球付近が載置される部位には母子球配置用凹部が形成されていると共に、母子球配置用凹部の外側部位にも凹部が形成され、さらに前記底部のうち踵が載置される部位付近には踵が配される踵配置用凹部が形成されていることが好ましい。
【０００９】
また、上記課題を解決するものは、履物の底部上面に配置する板状体であって、該板状体が履物内に配されると、足の指が位置する部位付近に足の指を下方に向かって屈曲可能とする足指配置用凹部が構成され、足の指の付け根が位置する部位付近に足の指の付け根付近の窪みに侵入する隆起部が構成され、さらに、踵が載置される部位付近は足の指が位置する部位付近より高くなるように構成されることを特徴とする履物用中敷である。
【００１０】
前記足指配置用凹部は、足の指の配置形態に対応して平面視略Ｃ型形状に形成され、前記隆起部は足の指の付け根の窪み付近に対応した三次元形態（平面視略Ｃ型形状の山脈形状）に形成されていることが好ましい。前記隆起部は、位置を変更可能に構成されていることが好ましい。前記板状体のうち母子球付近が載置される部位には母子球配置用凹部が形成されていると共に、該母子球配置用凹部の外側部位にも凹部が形成され、さらに前記板状体のうち踵が載置される部位付近には踵が配される踵配置用凹部が形成されていることが好ましい。
【発明の効果】
【００１１】
請求項１に記載の発明によれば、継続的な使用により理想的な歩行や姿勢が形成され次第に腰痛や膝痛が改善されていくと共に、履き易く継続的使用がより容易な履物が構成される。
請求項２に記載の発明によれば、足の指にフィットしてより履き易く継続的使用がより容易な履物が構成される。
請求項３に記載の発明によれば、母子球が母子球配置用凹部に配されることで母子球を活用した理想的な歩行が可能となり、踵配置用凹部、母子球配置用凹部または凹部にそれぞれ対応する各部が配されることで縦アーチおよび横アーチが形成されて上記請求項１の効果をより奏する履物となる。
請求項４に記載の発明によれば、継続的な使用により理想的な歩行や姿勢が形成され次第に腰痛や膝痛が改善されていくと共に、履き易く継続的使用がより容易な履物を構成することができる。
請求項５に記載の発明によれば、足にフィットしてより履き易く継続的使用がより容易な履物を構成することができる。
請求項６に記載の発明によれば、母子球が母子球配置用凹部に配されることで母子球を活用した理想的な歩行が可能となり、踵配置用凹部、母子球配置用凹部または凹部にそれぞれ各部が配されることで縦アーチおよび横アーチが形成されて上記請求項４の効果をより奏する履物を構成できる。
【図面の簡単な説明】
【００１２】
【図１】本発明の履物の一実施例の平面図である。
【図２】図１に示した履物の右側面図である。
【図３】図１に示した履物の背面図である。
【図４】（Ａ）図１のＡ−Ａ線における底部の断面図であり、（Ｂ）は図１のＢ−Ｂ線における底部の断面図であり、（Ｃ）は図１のＣ−Ｃ線における底部の断面図である。
【図５】３つのアーチを説明するための人間の足の透視斜視図である。
【発明を実施するための形態】
【００１３】
本発明では、足を載置する底部２のうち足の指が位置する部位付近に足の指を下方に向かって屈曲可能とする足指配置用凹部３が設けられているため、履物を履いても足の指を下方に屈曲させるなどの動作を自在に行うことができる。また、足の指の付け根が位置する部位付近に足の指の付け根付近の窪みに侵入する隆起部４が設けられているため、履いた状態で既に各指先が下方に向かって屈曲し立体的な形となって歩きやすく足指配置用凹部３の先端内縁に各指が当たって痛むこともなく、さらに踵が載置される部位付近が足の指が位置する部位付近より高く形成されていても隆起部４にて係止されることで足が前方にずり落ちることがなく、継続的使用がより容易で履きやすい履物となる。さらに、踵が載置される部位付近が足の指が位置する部位付近より高く形成されているため、指先側が低くなって前傾姿勢を保つことができる。本発明では、これらの構造を採用することによって、継続的な使用により理想的な歩行や姿勢が形成され次第に腰痛や膝痛が改善されていくと共に、履き易く継続的使用がより容易な履物を実現した。
【実施例１】
【００１４】
この実施例の履物１は、図１または図２に示すように、足を載置する底部２のうち足の指が位置する部位付近に足の指を下方に向かって屈曲可能とする足指配置用凹部３が設けられると共に、足の指の付け根が位置する部位付近に足の指の付け根付近の窪みに侵入する隆起部４が設けられ、さらに、底部２のうち踵が載置される部位付近は足の指が位置する部位付近より高く形成されると共に踵が配される踵配置用凹部５を備えている。以下、各構成について順次詳述する。
【００１５】
この実施例の履物１はスリッパであるが、これに限定されるものではなく、履物であればどのようなものでもよく、例えば運動靴、革靴、ナースシューズなど靴全般の他、サンダルや草履なども広く本願でいう履物に包含される。
【００１６】
この履物１はスリッパであるため、図２または図３に示すように、底部２と底部２に取り付けられた甲当て６とから構成されている。そして、底部２のうち足の指が位置する部位付近には、図４（Ａ）に示すように足指配置用凹部３が設けられている。この足指配置用凹部３は、足の指を下方に向かって屈曲できるようにするために形成されており、スリッパ１を履いた後、足の指を下方に曲げると、爪先が足指配置用凹部３の底面に若干当接するか、或いは丁度当接しない程度の深さに形成されている。
【００１７】
足指配置用凹部３は、図１に示すように、足の指の配置形態に対応して平面視略Ｃ型形状に形成されており、これにより、足の指にフィットしてより履き易く継続的使用がより容易な履物となる。
【００１８】
底部２の形成材料としては、公知の材料が使用できるが、例えばゴム材、合成樹脂、木材、紙材、発泡体などが好適に使用できる。また、この実施例の底部２は、図２に示すように、底板２ａと底板２の上面に貼り付けた上板材２ｂにて構成されており、図４（Ａ）に示すように足指配置用凹部３は上板材２ｂを除去することにより形成されている。ただし、これに限定されるものではなく、足指配置用凹部を形成した一体成形物にて底部が構成されたものや複数の板状体の積層体から底部が構成され枚数を低減することで足指配置用凹部を形成したものなども本発明の範疇に包含される。また、底部２の先端部は、図２に示すように、先端側に向かって反り上がるように形成されることで、歩行に際して底部２の先端部が床等に引っ掛かって転倒することが防止されるよう構成されている。
【００１９】
このように、本発明の履物１は、足を載置する底部２のうち足の指が位置する部位付近に、足の指を下方に向かって屈曲可能とする足指配置用凹部３を有しているので、履物１を履いても足の指を下方に屈曲させるなどの動作を自在に行うことができ、足の指の力も次第に強化されていく。これによって、土踏まずが反り上がった縦アーチ（図５中２１，２３）も形成されていき理想的な歩行が可能となる。さらに、足の指を下方に屈曲させることで、脚の裏側の筋が伸びて腰が入り背筋も伸びて理想的な姿勢が形成されこれらの複合的作用により、次第に腰痛や膝痛が改善されていく。
【００２０】
隆起部４は、履いた状態で既に各指先が下方に向かって屈曲し立体的な形となって歩き易くすると共に、足指配置用凹部３の先端側内縁に各指が当たって痛むこともなく、踵が載置される部位付近が足の指が位置する部位付近より高く形成されてもこの隆起部４に係止されることで足が前方にずり落ちることがなく、継続的使用がより容易でより履きやすくするものであり、足の指の付け根が位置する部位付近に設けられている。
【００２１】
具体的には、図１、図２または図４（Ｂ）に示すように、足指配置用凹部３の後部に沿ってこの隆起部４が設けられていると共に、足の指の付け根の窪み付近に対応した三次元形態（平面視略Ｃ型形状の山脈形状）に形成されている。これにより、足の指にフィットしてより履き易く継続的使用がより容易な履物となる。
【００２２】
なお、この実施例の隆起部４は、上板材２ｂに一体成形され形成されているが、上板材２ｂから独立した別部材で形成され、例えば面ファスターや接着剤にて底板２ａに着脱可能に形成され、位置を変更可能に構成されていることが好ましい。これにより、個人個人に合わせた位置に隆起部を配置して前述した隆起部の作用効果をより確実に発揮させることができる。
【００２３】
底部２のうち踵が載置される部位付近は、図１または図２に示すように、足の指が位置する部位付近より高く形成されると共に踵が配される踵配置用凹部５を備えている。このように、踵が載置される部位付近が、足の指が位置する部位付近より高く形成されることにより、指先側が低くなって前傾姿勢を保つことができ、腰や膝に負荷を掛けることを回避できる。さらに、踵が配される踵配置用凹部５が設けられていることで踵がずり落ちることが防止される。
【００２４】
底部２のうち母子球（図５中符号２０）付近が載置される部位付近には、図１または図４（Ｃ）に示すように、母子球配置用凹部７が形成されている。このように、母子球２０が母子球配置用凹部７に配されることで母子球を活用した理想的な歩行が可能となり、また、踵配置用凹部５に踵が配されると共に母子球２０が母子球配置用凹部７に配されることで身体の左右の歪みも徐々に解消され肩の高さも左右同一になってくる。また、母子球配置用凹部７と踵配置用凹部５との間に凸部が構成されることにより、図５に示した内側縦アーチ２１も形成され易くなる。なお、母子球２０（図５参照）とは親指の付け根付近にあって親指の運動支点となる略球状体部位をいう。
【００２５】
母子球配置用凹部７の外側部位にも、図１または図４（Ｃ）に示すように凹部８が設けられている。この凹部８が設けられることにより、底部２のうち長手方向に沿う中央付近に凸条部９が形成され、母子球配置用凹部７および凹部８に足裏の各部が配されることで、図５中の横アーチ２２が形成されやすくなる。また、踵配置用凹部５と凹部８に足裏の各部が配されることで、図５に示した外側縦アーチ２３が形成されやすくなる。
【００２６】
このように、本発明の履物では、足を載置する底部のうち足の指が位置する部位付近に足の指を下方に向かって屈曲可能とする足指配置用凹部が設けられているため履物を履いても足の指を下方に屈曲させるなどの動作を自在に行うことができる。また、足の指の付け根が位置する部位付近に足の指の付け根付近の窪みに侵入する隆起部４が設けられているため、履いた状態で既に各指先が下方に向かって屈曲し立体的な形となって歩きやすくなると共に、足指配置用凹部３の先端内縁に各指が当たって痛むこともなく、踵が載置される部位付近が足の指が位置する部位付近より高く形成されていても隆起部４にて係止されることで足が前方にずり落ちることがなく継続的使用がより容易で履きやすい履物となる。さらに、踵が載置される部位付近が足の指が位置する部位付近より高く形成されているため、指先側が低くなって前傾姿勢を保つことができ腰痛や膝痛が改善される。本発明はこれらの構造を採用することによって足の各部がその機能を十分に発揮できるように熟慮されたものであり、使用し続けることで理想的な歩行が抵抗なく自然に身に付き、結果として腰痛、膝痛、身体の左右の歪みも解消されていくと共に履き易く継続的使用がより容易な履物が構成される。さらに、底部のうち母子球付近が載置される部位に母子球配置用凹部７が形成され、母子球配置用凹部７の外側にも凹部８が設けられることで、踵配置用凹部５と間で３つのアーチが形成され易くなり、理想的な歩行や姿勢が形成され次第に腰痛や膝痛もさらに改善されていく。
【００２７】
つぎに、本発明の履物用中敷の一実施例について説明する。
この実施例の履物用中敷は、図１ないし図４に示した履物の底部上面に配置する板状体２（底板２ａおよび底板２ａの上面に貼り付けた上板材２ｂで甲当て６を除去したもの）であって、板状体２が履物内に配されると、足の指が位置する部位付近に足の指を下方に向かって屈曲可能な深さを備えた足指配置用凹部３が構成され、足の指の付け根が位置する部位付近に足の指の付け根付近の窪みに侵入する隆起部４が構成され、さらに、踵が載置される部位付近は足の指が位置する部位付近より高く構成される。これにより、継続的な使用により理想的な歩行や姿勢が形成され次第に腰痛や膝痛が改善されていくと共に、履き易く継続的使用がより容易な履物を構成することができる。なお、この実施例では、板状体２の踵が載置される部位付近は足の指が位置する部位付近より相当高く構成されているが、履物用中敷を配置する履物が既に踵側が高く形成されている場合は、踵が載置される部位付近はその分低く形成されていることが好ましい。
【００２８】
足指配置用凹部３が構成されることにより、履物を履いても足の指を下方に屈曲させるなどの動作を自在に行うことができ、足の指の力も次第に強化されていく。これによって、土踏まずが反り上がった縦アーチ（図５中２１，２３）も形成されていき理想的な歩行が可能となる。さらに、足の指を下方に屈曲させることで、脚の裏側の筋が伸びて腰が入り背筋も伸びて理想的な姿勢が形成されこれらの複合的作用により、次第に腰痛や膝痛が改善されていく。
【００２９】
足指配置用凹部３は、足の指の配置形態に対応して平面視略Ｃ型形状に形成され、前記隆起部は足の指の付け根の窪み付近に対応した三次元形態に形成されていることが好ましい。これにより、足にフィットしてより履き易く継続的使用がより容易な履物を構成することができる。
【００３０】
隆起部４は、履いた状態で既に各指先が下方に向かって屈曲し立体的な形となって歩き易くすると共に、足指配置用凹部３の先端側内縁に各指が当たって痛むこともなく、踵が載置される部位付近が足の指が位置する部位付近より高く形成されてもこの隆起部４に係止されることで足が前方にずり落ちることがなく、継続的使用がより容易でより履きやすくするものであり、足の指の付け根が位置する部位付近に構成される。
【００３１】
なお、この実施例の隆起部４は、上板材２ｂに一体成形され形成されているが、上板材２ｂから独立した別部材で形成され、例えば面ファスターの雄雌のいずれかが隆起部４の裏面または上板材２ｂの上面にそれぞれ取り付けられたり、あるいは隆起部４が接着剤にて底板２ａに着脱可能に形成され、位置を変更可能に構成されていることが好ましい。これにより、個人個人に合わせた位置に隆起部を配置して前述した隆起部の作用効果をより確実に発揮させることができる。
【００３２】
板状体２のうち母子球付近が載置される部位には母子球配置用凹部７が形成されていると共に、母子球配置用凹部７の外側部位にも凹部８が形成され、さらに板状体２のうち踵が載置される部位付近には踵が配される踵配置用凹部５が形成されていることが好ましい。これにより、母子球が母子球配置用凹部７に配されることで母子球を活用した理想的な歩行が可能となり、踵配置用凹部５、母子球配置用凹部７または凹部８にそれぞれ各部が配されることで縦アーチおよび横アーチがより形成されやすい履物を構成できる。
【００３３】
履物用中敷の他の実施例としては、最上層の板状体２と、この板状体２の下層に設けられ中間層を構成する接着剤層と、接着剤層の下層に設けられ最下層を構成する剥離層とからなるものも、本発明の履物用中敷の範疇に包含される。なお、この実施例において板状体は履物の底部上面に配置される部位であり、接着剤層は板状体を履物の底部上面に接着するための部位であり、剥離層は接着剤層を使用時まで被覆するための部位である。
【００３４】
また、履物用中敷は、スリッパ、運動靴、革靴、ナースシューズなどの靴全般の他、サンダルまたは草履などの底部上面に配して使用するものであり、板状体は例えばゴム材、合成樹脂、木材、紙材、発泡体などで形成することができる。接着剤層は履物の底部上面に接着して硬化し板状体が履物の底部上面から容易に剥がれない程度の接着強度を備えるものであればどのようなものでもよく、例えばエポキシ樹脂などが好適に使用できる。さらに、剥離層は、接着剤層を使用時まで硬化させることなく被覆可能であればどのようなものでもよく、例えば紙材、樹脂シートなどが好適に使用できる。
【符号の説明】
【００３５】
１    履物
２    底部（板状体）
３    足指配置用凹部
４    隆起部
５    踵配置用凹部
６    甲当て
７    母子球配置用凹部
８    凹部
９    凸条部
【図１】
2015008764.tif 000003
【図２】
2015008764.tif 000004
【図３】
2015008764.tif 000005
【図４】
2015008764.tif 000006
【図５】
2015008764.tif 000007